(57)【要約】【課題】ブラジャー等のパッド付きカップ部にフィットするカップ保持具を提供する。【解決手段】カップ部を有する衣類の左右カップ部を被せる左右一対のカップ保持用突出部を基体に突設したカップ保持具であって、前記カップ保持用突出部３には、最も膨出させた頂点４より下半周側の外縁に達する下部領域の少なくとも一部に、ブラジャー等のカップ部に装着されるパッドの膨出部に対応させる凹状円弧部１０を設けている。【選択図】図１
2010155622.tif 000002
【特許請求の範囲】
【請求項１】
カップ部を有する衣類の左右カップ部を被せる左右一対のカップ保持用突出部を基体に突設したカップ保持具であって、
前記カップ保持用突出部には、最も膨出させた頂点より下半周側の外縁に達する下部領域の少なくとも一部に、パッド膨出部に対応させる凹状円弧部を設けていることを特徴とするカップ保持具。
【請求項２】
前記カップ保持用突出部は、前記頂点より下側に３ｍｍ〜３ｃｍの位置までは凸状円弧部とし、該凸状円弧部から下端外縁までを前記凹状円弧部としている請求項１に記載のカップ保持具。
【請求項３】
前記基体は保形性を有する繊維体からなり、前記カップ保持用突出部を前記基体をプレスして形成し、あるいは
前記基体は樹脂成形品からなり、前記カップ保持用突出部を一体的に成形している請求項１または請求項２に記載のカップ保持具。
【請求項４】
前記基体は保形性を有する繊維基材と、該繊維基材の表面に積層一体化した表示面側繊維材とからなり、かつ、前記基体の外形は長方形状とし、その左右両側に前記カップ保持用突出部を設けている請求項３に記載のカップ保持具。
【請求項５】
前記基体を収容ケースの底面に配置し、または収容ケースの底面を前記基体としてケースと一体成形している請求項３または請求項４に記載のカップ保持具。
【請求項６】
前記基体の外形を長方形の台紙状とし、壁面に取付具で取り付けて下着のカップ部を立体展示可能とし、あるいは額縁内に取り付けて展示用としている請求項３に記載のカップ保持具。
【請求項７】
前記基体は樹脂成形品からなるマネキンあるいは背面側は平坦面としているトルソからなる展示用としている請求項３に記載のカップ保持具。
【請求項８】
前記下着はブラジャー、ブラ付きスリップ、ブラ付きボディスーツ、水着等のカップ部を有する衣類である請求項１乃至請求項７のいずれか１項に記載のカップ保持具。
【発明の詳細な説明】
【技術分野】
【０００１】
本発明は下着のカップ保持具に関し、特に、ブラジャーの販売展示用あるいは購入したブラジャーの収容用として好適に用いられるものである。
【背景技術】
【０００２】
従来、ブラジャー等のカップ部を有する衣類を立体的に展示する場合には、マネキンが用いられている。
この種のマネキンでは、ブラジャーのカップ部を支持するバスト状膨出部は、いずれも図９（Ａ）に示すように、女性のバストの形状に添わせて略半球状に膨らませており、該バスト状膨出部１００の頂点部分１００ａから下側半周部も円弧状に膨らませて湾曲させている。
【０００３】
一方、近時販売されているブラジャーには、カップ部の裏面側の下半周部にパッドが着脱自在または一体に取り付けられている場合が多く、カップ部の下半周部は裏面側へと膨らんでいる。
よって、ブラジャーのパッド付きの左右カップ部をマネキンの左右のバスト状膨出部に被せると、図９（Ｂ）に示すように、ブラジャーＢの裏面側へ膨出したパッド付き部分Ｐがマネキンの円弧状の膨出部に接触するため、ブラジャーＢのカップＣがマネキンのバスト状膨出部からずり下がり、ブラジャーのカップ部がマネキンのバスト状膨出部にぴったりとフィットしなくなる。その結果、カップ部の上端縁とマネキンのバスト状膨出部との間に大きな隙間があいてしまい、外観が悪くなる問題がある。
【０００４】
なお、マネキンに関しては、特開２００２−３３９１３２号公報で肩パッド部材についての提案はなされているが、ブラジャーのカップ部を支持するバスト状膨出部に関する提案はない。
また、本出願人は特開２００３−２３７８６５号公報でブラジャー陳列台兼ブラジャー収納容器を提供しているが、ブラジャーのカップ部を被せるカップ保持突起については、従来と同様な略半球状としているため、ブラジャーのパッド付きカップ部がカップ保持突起にフィットしない問題があった。
【０００５】
【特許文献１】特開２００２−３３９１３２号公報
【特許文献２】特開２００３−２３７８６５号公報
【発明の開示】
【発明が解決しようとする課題】
【０００６】
本発明は、ブラジャー等のパッド付き衣類のカップに、フィットするカップ保持用突出部を備えるカップ保持具を提供することを課題としている。
【課題を解決するための手段】
【０００７】
前記課題を解決するため、本発明は、カップ部を有する衣類の左右カップ部を被せる左右一対のカップ保持用突出部を基体に突設したカップ保持具であって、
前記カップ保持用突出部には、最も膨出させた頂点より下半周側の外縁に達する下部領域の少なくとも一部に、パッド膨出部に対応させる凹状円弧部を設けていることを特徴とするカップ保持具を提供している。
【０００８】
従来のカップ保持用突出部では、女性のバストの形状に添わせて頂点から下半周部も凸状の円弧部としていたものを、本発明のカップ保持用突出部では逆に凹状円弧部として窪ませ、ブラジャーのカップの裏面側にパッドを取り付けた場合に発生する裏面側へ膨出部分を凹状円弧部に位置させ、それにより、カップ部がカップ保持用突出部からずり下がることなくフィットさせ、その結果、ブラジャー等の衣類のカップ部がカップ保持用突出部とフィットせずカップ部の上端側でカップ保持用突出部との間に大きな隙間があくのを防止している。
よって、該カップ保持用突出部を備えたマネキンやトルソとした場合、ブラジャー等の衣類のカップ部をマネキンのカップ保持用突出部にぴったりと添わせて、カップ部およびブラジャー等の衣類全体の外観を好ましくすることができる。
【０００９】
前記カップ保持用突出部は、前記頂点より下側に３ｍｍ〜３ｃｍの位置までは凸状円弧部とし、該凸状円弧部から下端外縁までを前記凹状円弧部としていることが好ましい。
即ち、カップ部の裏面側に装着するパッドはカップ部の頂点より下半周側にあり、頂点部分をくっきりと突出させるには、頂点に連続した位置から凹状円弧部の窪みを形成するよりは、前記のように３ｍｍ〜２ｃｍの範囲は従来と同様に凸状円弧部として膨らませておく方が見栄えがよくなる。
なお、頂点位置から下端周縁まで凹状円弧部としてもよい。
【００１０】
前記基体は保形性を有する繊維体からなり、前記カップ保持用突出部を前記基体をプレスして形成している。この場合、繊維体を金型に被せて熱プレスすることにより簡単にカップ保持用突出部を設けることができる。かつ、繊維体から形成すると、ブラジャー等の色を引き立たせる色で基体を設けることが容易にできる。
【００１１】
あるいは、前記基体は樹脂成形品とし、前記カップ保持用突出部を一体的に成形してもよい。マネキンや裏面側を平坦面とした半身型トルソとする場合には、樹脂成形品とすることが好ましい。
【００１２】
前記基体は熱プレスにより保形性を有する繊維基材と、該繊維基材の表面に積層一体化した表示面側繊維材とからなり、かつ、前記基体の外形は長方形状とし、その左右両側に前記カップ保持用突出部を設けていることが好ましい。ブラジャーの場合は、前記基体の裏面側にブラジャーの背面部をまわして止めることが好ましい。
具体的には、前記繊維基材は熱プレスで所要形状に成形され、該プレス加工された形状を保形する繊維、例えば、アクリル繊維が混紡され不織布等を用いている。一方、表示面側繊維材は、高級感を出す場合にはベルベット生地、シャープなイメージを出す場合には光沢のあるポリエステル布帛等、素材と色とを要望に応じて任意に変えるものとしている。該表面側繊維材が薄い布帛であっても裏面側の繊維基材と複層一体化することで保形性を保持することができる。
【００１３】
前記基体を収容ケースの底面に配置し、または収容ケースの底面を前記基体としてケースと一体成形してもよい。
具体的には、前記収容ケースを樹脂製容器あるいは紙器とし、その底面に前記繊維体からなる基体を挿入配置してもよい。あるいは、収容ケースを樹脂成形し、その底面に前記カップ保持用突出部を一体成形で設けておいてもよい。
このように、収容ケースの底面にカップ保持用突出部を設けておくと、特許文献２に記載のように、展示用ケースとして利用でき、かつ、該ケース付きのままで販売すると、購入者はケースをブラジャーの収納容器として利用することができる。
なお、前記基体をケース内に入れず、基体だけを用い、そのカップ保持用突出部にブラジャーのカップを順次被せることにより、購入者はブラジャーの保持具として用いることもできる。
【００１４】
前記基体の外形を長方形の台紙状とし、壁面に取付具で取り付けてブラジャーを立体展示可能とし、あるいは額縁内に取り付けて展示用とすることができる。
従来、ブラジャーを目立つように立体的に展示する場合は、マネキンにブラジャーを装着することによりなされている。しかしながら、マネキンは場所をとると共に高価であるため、多数のブラジャーを展示することができない。
これに対して、前記のように台紙状とすると、壁面に吊り下げたり、張り付けることができ、ブラジャーの販売ショップの壁面を利用して多数のブラジャーを立体展示することができる。
さらに、台紙の外周縁を平坦状としておくことにより、額縁内の表面台紙と裏板との間に周縁部を挟持して額縁内に収めることができる。１つの額縁内に１つのブラジャーを取り付けた基体を配置してもよいし、大きな１つの額縁内に複数のブラジャーをそれぞれ基体に取り付けて表示することもできる。
このように、本発明のブラジャー保持具を用いると、ショップの壁面を利用した展示を行うことができる。
【００１５】
前記基体は、樹脂成形品からなるマネキンあるいは背面側は平坦面としているトルソからなる展示用としても良いことは言うまでもない。
【００１６】
また、前記基体には、肩紐を挟むスリットや、ブラジャー等のカップ部の脇側部分を挟むスリットを設けることが好ましい。
【００１７】
本発明のカップ保持具に被せる下着は、ブラジャー、ブラ付きスリップ、ブラ付きボディスーツ、水着等のカップ部を有する衣類である。特に、ブラジャーの展示用および収容用とすることが好ましい。
【発明の効果】
【００１８】
前述したように、本発明のブラジャー保持具は、カップ保持用突出部の形状を、ブラジャー等のパッド付きカップ部の形状に添わせているため、カップ保持用突出部にブラジャー等のカップ部をぴったりとフィットさせることができる。よって、ブラジャー等のカップ部がずり落ちることを防止でき、カップ部の上端縁がカップ保持用突出部から隙間をあけた状態とならず、ブラジャー等のカップ部の造形性を的確に表示することができる。
【発明を実施するための最良の形態】
【００１９】
以下、本発明のカップ保持具の実施形態を図面を参照して説明する。
図１乃至図４に第一実施形態のカップ保持具を示す。
カップ保持具１は、図１（Ａ）に示すように、外形を横長な長方形状とした基体２の左右に、左右一対のカップ保持用突出部３（以下、突出部３と略称する）を設けている。
【００２０】
図１（Ｂ）（Ｃ）に示すように、前記突出部３は最も膨出させた頂点４を挟んで、上半周部５は女性のバストに添わせて凸状円弧部の形状としている。頂点４より下側で下側外周縁６に達するまでの下半周部７では、頂点４から下側に３ｍｍ〜３ｃｍの範囲の位置までは凸状円弧部８とし、該凸状円弧部８から下側外周縁６までは凹状円弧部１０としている。該凹状円弧部の曲率は大きくして浅い窪みとしている。
【００２１】
該凹状円弧部１０の窪みは、図２に示すブラジャー２０のカップ部２１の背面側に装着されるパッド２２の厚さおよび形状に添わせたものとしている。即ち、パッド２２をカップ部２１に装着した状態で、該パッド装着部は裏面側に膨出し、この膨出した部分が前記凹状円弧部１０の窪みにフィットするように設定している。その際、ブラジャー２０に装着されるパッド２２のうち、最大厚みのパッド２２に対応させた窪みとしていることが好ましい。
前記パッド２２は頂点４の直下部分が最も上下方向に長く、前側中央部から脇側にかけて次第に上下長さを短くした形状としている。よって、前記凹状円弧部１０はパッド２２の形状に添わせて、頂点４の直下部分では上下方向に長くし、前側中央部および脇側に向かう左右両側部では上下方向を短くしている。
【００２２】
前記突出部３を設けた基体２は、保形性を有する繊維体からなり、突出部を熱プレスして形成している。
前記繊維体からなる基体２は、図３に示すように、保形性を有する繊維基材１１と、該繊維基材１１の表面に接着剤で積層一体化した表示面側繊維材１２とからなる。
前記繊維基材１１は、アクリル繊維を含む繊維材からなり、メッシュ状の厚肉部を薄い基布に設けた一対の表面材１１ａの間に不織布１１ｂを挟んで一体化してダンボール状とし、保形性を有するものとしている。該繊維基材１１の表面に積層一体化する表面側繊維材１２は任意の布帛からなり、本実施形態では高級感を出すためにベルベットを用いている。
前記左右一対の突出部３を囲む周縁部分１５は平坦状としている。
【００２３】
前記構成からなるカップ保持具１に、パッド付きブラジャー２０を装着し、ブラジャー２０の左右のカップ部２１をカップ保持具１の左右の突出部３に被せると、図４に示すように、ブラジャー２０の裏面側に膨出したパッド取付部分が突出部３の凹状円弧部１０に密着する。よって、パッド取付部分が突出部３からずり下がることはなく、カップ部２１が突出部３に密着した状態でかぶさり、カップ部２１の上縁側は突出部３との間に隙間があかず、密着させることができる。
【００２４】
前記左右一対の突出部３を備えた基体２からなる１枚の長方形状のカップ保持具をブラジャーの展示用として用いる場合は、ブラジャー２０のカップ部２１を突出部３に被せ、該ブラジャー２０の背面部を基体２の裏面側に回し、基体２でブラジャー２０を保持させる。これを、図５（Ａ）に示すように、インナーウエアのショップの壁面に止め具２５で止めたり、吊り下げることで、壁面を利用したブラジャーの立体展示を行うことができる。
【００２５】
また、図５（Ｂ）（Ｃ）に示すように、額縁２６に入れて展示することもできる。この場合、ブラジャー２０を取り付けた基体２の周縁部を額縁２６の表面台紙と裏板との間で挟持させればよい。
【００２６】
なお、基体２の繊維基材１１は前記の基材に限定されず、保形性を有する素材であればよい。かつ、基体２を樹脂成形品とし、突出部を一体成形で設けてもよい。
【００２７】
図６に前記第一実施形態の変形例を示す。
図６に示すように、基板２の上辺から左右に間隔をかけてＬ形状の切り込み１６を入れ、図２に示すブラジャー２０の肩紐２４を挿入して位置決めできるようにしている。さらに、左右両側壁にＬ形状の切り込み１７を入れ、ブラジャー２０の左右両側脇部を挿入し、位置決めできるようにしている。
【００２８】
図７に示す第二実施形態のカップ保持具は、透明な樹脂製のケース３０に第一実施形態の基体２を挿入し、ケース３０の底壁３０ａの内面に配置している。該ケースの底壁内面はカップ保持具１の基体２の外形と略同一とし、基体２を移動不可としている。該ケース３０の上面は開口としている。なお、ケース３０は折り畳み型の紙器でもよい。
ケース３０内に収容する基体２にブラジャーを装着して展示販売しても良いし、基体２を備えたケース３０をブラジャー収容容器としてもよい。
【００２９】
図８（Ａ）（Ｂ）に第三実施形態のカップ保持具を示す。
第三実施形態は図８（Ａ）のマネキン４０、図８（Ｂ）の裏面側が平坦面とした半身型トルソ４１のカップ保持部の形状を第一実施形態の突出部３と同一形状としている。
これらマネキン４０およびトルソ４１は樹脂成形品からなり、突出部３を設ける基体２は、マネキン４０およびトルソ４１の本体部となり、該本体部と前記突出部３とを一体成形で設けている。
このようにマネキンやトルソとすると、床面や台座から起立させて設置することができ、かつ、ブラジャーと対のパンティを着用させて展示することも可能となる。
【図面の簡単な説明】
【００３０】
【図１】本発明の第一実施形態のカップ保持具を示し、（Ａ）は全体斜視図、（Ｂ）はカップ保持用突出部の拡大図、（Ｃ）は（Ｂ）の断面図である。
【図２】前記カップ保持具で保持するパッド付きブラジャーを示す図である。
【図３】カップ保持具の基材を示す一部断面斜視図である。
【図４】ブラジャーのカップ部を被せた状態の断面図である。
【図５】（Ａ）（Ｂ）（Ｃ）はカップ保持具にブラジャーを装着して展示している状態を示す図である。
【図６】第一実施形態の変形例を示す図である。
【図７】第二実施形態のカップ保持具を示す図である。
【図８】（Ａ）（Ｂ）は第三実施形態を示す図である。
【図９】（Ａ）（Ｂ）は従来例を示す図である。
【符号の説明】
【００３１】
１  カップ保持具
２  基体
３  カップ保持用突出部
４  頂点
５  上半周部
６  下側外周縁
８  凸状円弧部
１０  凹状円弧部
２０  ブラジャー
２１  カップ部
２２  パッド
【図１】
2010155622.tif 000003
【図２】
2010155622.tif 000004
【図３】
2010155622.tif 000005
【図４】
2010155622.tif 000006
【図５】
2010155622.tif 000007
【図６】
2010155622.tif 000008
【図７】
2010155622.tif 000009
【図８】
2010155622.tif 000010
【図９】
2010155622.tif 000011